(57)【要約】【課題】安定したドラグ性能を発揮できるドラグ装置を組み込んだ魚釣用リールを提供する。【解決手段】本発明の魚釣用リールは、ハンドルの回転操作によって釣糸が巻回されるスプールと、前記スプールに対して所定の制動力を付与するドラグ装置と、を有する。ドラグ装置は、ドラグワッシャと、ドラグワッシャに面接するライニングワッシャと、前記ドラグワッシャのライニングワッシャに対する押圧力を調整する操作部材と、を備えており、ライニングワッシャに、粘度が８００mm2 ／s 以上のグリスが用いられていることを特徴とする。【選択図】  図２
2015142524.tif 000002
【特許請求の範囲】
【請求項１】
ハンドルの回転操作によって釣糸が巻回されるスプールと、前記スプールに対して所定の制動力を付与するドラグ装置と、を有する魚釣用リールにおいて、
前記ドラグ装置は、ドラグワッシャと、ドラグワッシャに面接するライニングワッシャと、前記ドラグワッシャのライニングワッシャに対する押圧力を調整する操作部材と、を備えており、前記ライニングワッシャに、粘度が８００mm2 ／s 以上のグリスが用いられていることを特徴とする魚釣用リール。
【請求項２】
前記魚釣用リールはスピニングリールであり、前記ライニングワッシャに、粘度が９００〜２５００mm2 ／s のグリスが用いられていることを特徴とする請求項１に記載の魚釣用リール。
【請求項３】
前記魚釣用リールは両軸受型リールであり、前記ライニングワッシャに、粘度が５０００〜２３０００mm2 ／s のグリスが用いられていることを特徴とする請求項１に記載の魚釣用リール。
【発明の詳細な説明】
【技術分野】
【０００１】
本発明は、魚釣用リールに関し、詳細には、スプールに巻回された釣糸が引き出された際に制動力（ドラグ力）を与えるドラグ装置を組み込んだ魚釣用リールに関する。
【背景技術】
【０００２】
従来、魚釣用リールには、例えば、特許文献１に開示されているように、ドラグ装置が組み込まれている。このドラグ装置は、仕掛けに魚が掛かった際、引き出される釣糸に対して制動力を付与するものであり、特許文献１に開示されているようなスピニングリールでは、ドラグノブを調整することで、スプール軸に回転可能に保持されたスプールの回転に所望の制動力を加えることができるよう構成されている。
【０００３】
上記したドラグ装置は、スピニングリール、両軸受型リール、片軸受型リール等、各種の魚釣用リールに組み込まれており、スピニングリールでは、フロントドラグタイプ、リヤドラグタイプが知られている。一般的に、スピニングリールでは、スプール軸とスプールとの間に制動力を生じさせるように、複数枚の制動部材（ライニングワッシャ、ドラグワッシャ）を隣接させて相互に面接触するよう配設している。
【０００４】
前記ライニングワッシャは、例えば、フェルト、パルプ、強化繊維などを含んだ合成樹脂、パンチング樹脂等によって形成され、前記ドラグワッシャ（ライニングワッシャの相手材）は、耐久性に優れた金属材料等によって形成され、スプールやスプール軸に対して回り止め固定される。そして、前記ライニングワッシャは、ドラグワッシャに挟持された状態で配設され（多板で構成されることもある）、制動特性が滑らかになるように、一般的にグリスが付着された状態となっている。
【０００５】
このようなドラグ装置は、実釣時において、ユーザの好みによってドラグ力が調整される。すなわち、ドラグ力を大きくしたい場合は、ドラグ調整ノブを締め付けることで、前記ライニングワッシャに対する面圧力を大きくしてドラグ力を大きく設定することができ、ドラグ調整ノブを緩めることで、前記ライニングワッシャに対する面圧力を小さくしてドラグ力を小さく設定することができる。
【先行技術文献】
【特許文献】
【０００６】
【特許文献１】特開平１０−１３６８５３号
【発明の概要】
【発明が解決しようとする課題】
【０００７】
上記したように、ドラグ力は、ドラグワッシャとライニングワッシャとの間の面圧力、すなわち、両者の間の摩擦力の大きさによって変化する。この場合、両者の間で生じる摩擦力が抵抗となってドラグ力が発揮されるが、両者の間には熱が発生し、また摩耗も生じることから、上記したようにライニングワッシャにグリスを塗布することでこのような現象を抑制している。
【０００８】
ところで、従来のドラグ装置は、ドラグ作動時のドラグ力が安定しなかったり、ドラグ力が作用する際の静摩擦状態から動摩擦状態へ切り替わるときの衝撃が大きいといった問題がある。このような問題が生じるのはいくつかの要因があり、その一つとしてライニングワッシャに塗布されているグリスが影響を与えているものと考えられる。具体的には、ライニングワッシャにグリスを塗布すると、その表面に油膜を形成することとなるが、従来のグリスでは、ライニングワッシャとドラグワッシャとの間に安定した油膜を形成することができず、これが上記の問題の要因と考えられる。特に、ドラグ力を強く設定すると、ライニングワッシャに対する面圧力が大きくなって油膜を潰したり、グリスがライニングワッシャ内に部分的に入り込むなどして、面上にグリスが多い部分と少ない部分が混在し、油膜の状態が安定しなくなる。したがって、この状態で回転力が加わると、油膜が薄い部分では剪断力によって油膜が切れてしまい、安定したドラグ性能が得られなくなる。
【０００９】
本発明は、上記した問題に着目してなされたものであり、安定したドラグ性能を発揮できるドラグ装置を組み込んだ魚釣用リールを提供することを目的とする。
【課題を解決するための手段】
【００１０】
上述したように、魚釣用リールに組み込まれるドラグ装置のライニングワッシャには、グリスが塗布（浸漬）されているが、このようなグリスは、発熱及び摩耗を抑制するために用いられるのであり、従来の魚釣用リールでは、ライニングワッシャに対して浸漬し易い範囲の粘度（概ね２０〜２００mm2 ／s ）のグリスを用いることが常識となっている。
【００１１】
この場合、粘度が低くなれば流動性が高まることから、ライニングワッシャの表面で万遍なく均一な膜を形成、維持することが難しくなり、また、フェルトのようなライニング材であれば、内部へ浸透し易くなることから、部分的にグリスの膜厚が薄くなることが考えられる。安定したドラグ性能を発揮するためには、ライニングワッシャとドラグワッシャとの間に均一で安定した油膜を形成することが望ましいと考えられるが、上記したような、概ね２０〜２００mm2 ／s のグリスでは、安定した油膜を形成することはできず、特に圧接力を強く（ドラグ力を強く）設定するとグリスは移動し易くなる。
【００１２】
本発明者らは、ライニングワッシャの表面に設けられるグリスについて様々な検討をしたところ、従来の魚釣用リールで用いられているグリスよりも粘度が高いグリスを用いることでドラグワッシャとライニングワッシャが摩擦回転する際、ライニングワッシャの表面で安定した油膜を形成することができ、これにより、安定したドラグ特性が得られることを見出し、本発明を着想するに至った。
【００１３】
すなわち、本発明に係る魚釣用リールは、上記した課題を解決するために、ハンドルの回転操作によって釣糸が巻回されるスプールと、前記スプールに対して所定の制動力を付与するドラグ装置と、を有する魚釣用リールにおいて、前記ドラグ装置は、ドラグワッシャと、ドラグワッシャに面接するライニングワッシャと、前記ドラグワッシャのライニングワッシャに対する押圧力を調整する操作部材と、を備えており、前記ライニングワッシャに、粘度が８００mm2 ／s 以上のグリスが用いられていることを特徴とする。
【００１４】
上記した構成の魚釣用リールによれば、ライニングワッシャに従来よりも粘度が高い（８００mm2 ／s 以上）グリスを用いたことで、グリスの流動性が低下し、ライニングワッシャとドラグワッシャとの間に形成される油膜を維持できるようになる。すなわち、ライニングワッシャの面上において、油膜が薄くなる部分が点在するようなこと（不安定な油膜が形成されること）が抑制され、これによりライニングワッシャとドラグワッシャが相対回転しても、剪断力によって油膜が切れることが抑制され、安定したドラグ力を生じさせることが可能となる。特に、静摩擦から動摩擦へ切り替わる際、略均一に形成されている油膜によって、ライニングワッシャとドラグワッシャの滑り出しをスムーズにすることができ、これによりドラグ力の作動し始めに起きる衝撃が緩和され、糸切れ等が生じることが抑制される。また、動摩擦力が作用しているときも、ライニングワッシャとドラグワッシャとの間に安定した油膜が存在しており、油膜切れも抑制されるため、安定したドラグ性能が得られる。
【００１５】
なお、上記した構成において、上記した粘度のグリスは、ライニングワッシャの構成にもよるが、樹脂や炭素繊維のような素材であれば表面に塗布された状態（表面に注油した状態）にあっても良いし、フェルトのような素材であれば、内部に浸漬した状態にあっても良い。また、グリスの粘度については、８００mm2 ／s 以上であれば良いが、スピニングリールの場合と、両軸受型リールの場合とでは、好ましい領域が異なる。すなわち、両軸受型リールの場合、ドラグ装置はハンドル軸部分に装着され、スプールが引き出された際、ハンドル軸に設けられるドライブギアとスプール軸に設けられるピニオンギアのギア比による影響があり、好ましい粘度は、スピニングリールと比較すると高くなる。具体的には、後述するように、複数のテスターによって得られる評価によれば、スピニングリールの場合、粘度が９００〜２５００mm2 ／s の範囲で良好な結果が得られ、両軸受型リールの場合、粘度が５０００〜２３０００mm2 ／s の範囲で良好な結果が得られた。また、粘度の上限については、本発明の技術思想では特に限定されないが、１０００００mm2 ／s 程度の高粘度のグリスを用いることも可能である。
【発明の効果】
【００１６】
本発明によれば、安定したドラグ性能を発揮できるドラグ装置を組み込んだ魚釣用リールが得られる。
【図面の簡単な説明】
【００１７】
【図１】本発明に係る魚釣用リールの一実施形態（スピニングリール）を示す図であり、スプールの内部構成を示した図。
【図２】図１に示す魚釣用リールのスプール部分の拡大図。
【図３】図２に示すドラグ装置のドラグワッシャ、及びライニングワッシャの配置を示す斜視図。
【図４】ドラグ装置の引き出し試験を示すグラフであり、上段はライニングワッシャに高粘度のグリス（粘度；１２８０mm2 ／s）を用いた結果を示すグラフ、下段はライニングワッシャに通常のグリス（粘度；２０mm2 ／s）を用いた結果を示すグラフ。
【発明を実施するための形態】
【００１８】
以下、本発明に係る魚釣用リールの実施形態について図面を参照しながら具体的に説明する。
図１から図３は、本発明に係る魚釣用リール（スピニングリール）の一実施形態を示しており、図１はスプールの内部構成を示した図、図２はスプール部分の拡大図、そして図３はドラグ装置のドラグワッシャ（相手材）、及び、グリスが設けられるライニングワッシャの配置を示す斜視図である。
【００１９】
スピニングリールのリール本体１には、釣竿に装着されるリール脚１ａが一体形成されており、その前方には回転可能に支持されたロータ２と、ロータ２の回転運動と同期して前後動可能に支持され、釣糸が巻回されるスプール３が配設されている。
【００２０】
前記リール本体１内には、ハンドル軸５ａが回転可能に支持されており、その突出端部にはハンドル５が取り付けられている。また、ハンドル軸５ａには、公知の巻取り駆動機構が係合しており、この巻取り駆動機構は、ハンドル軸に取り付けられ、内歯が形成されたドライブギア（駆動歯車）７と、このドライブギア７に噛合すると共にハンドル軸５ａと直交する方向に延出し、内部に軸方向に延出する空洞部８ａが形成されたピニオンギア８とを備えている。なお、ピニオンギア８は、その後端側に歯部８ｂが形成されており、この歯部８ｂがドライブギア７と噛合関係となる。
【００２１】
前記ピニオンギア８の空洞部８ａには、前記スプール３を回転可能に支持するスプール軸４が軸方向に前後動可能に挿通されている。このスプール軸４の後方側には、公知のオシレート機構１０が係合しており、ハンドル５を回転操作すると、オシレート機構１０を介して前記スプール軸４（スプール３）は前後に往復動される。また、前記ピニオンギア８の前方側には、ロータナットを締め付けることで、前記ロータ２がピニオンギア８に対して固定されている。すなわち、ハンドル５を巻き取り操作することで、ロータ２が回転すると共に、この回転と同期してスプール３は前後に往復動され、釣糸は、ロータと共に回転する釣糸案内装置（ラインローラ）を介して、スプール３に均等に巻回される。
【００２２】
前記スプール３は、スプール軸４に対して所定の制動力を付与するドラグ装置２０を介して回転可能に支持されている。
前記ドラグ装置２０は、スプール３の内部（円筒状の内部空間；凹所）に収容されており、後述するように、ライニングワッシャ２２，ドラグワッシャ２３，２４（これらを制動部材２１と称する）と、これらに対して軸方向に沿って押圧力を作用する押圧部材２７ａと、この押圧部材２７ａに対する押圧力を調整するドラグ調整ノブ（操作部材）２７と、を備えている。
【００２３】
前記スプール軸４の先端には、雄螺子部４ａが形成されており、この部分に軸方向に移動可能にナット３０が回り止め嵌合されている。このナット３０は、ドラグ調整ノブ２７に装着固定され、カップ状に形成された前記押圧部材２７ａ内に設けた螺旋バネ３２のバネ力によってドラグ調整ノブ２７側に圧接されている。また、前記スプール軸４の前部には、ピン３５によってスプールメタル３７が一体的に連結（スプール軸を囲繞している）されており、このスプールメタル３７の外周にカップ状で内周に凹凸部が形成されたバネ受４０（発音体）が回り止め嵌合されている（本実施形態では、このバネ受４０も前記制動部材２１を構成する）。そして、押圧部材２７ａに係止された環状バネ４２の端部がバネ受４０の凹凸部に係合しており、ドラグ調整ノブ２７を回転させることにより節度感のあるクリック音を発生するように構成されている。すなわち、ドラグ調整ノブ２７を左右いずれかに回すことで、ナット３０をスプール軸４に対して進退させ、それによって螺旋バネ３２のバネ力を調節し、ドラグ装置２０の制動部材２１に対して所望のドラグ力を発生させることができる。
【００２４】
上記したように、制動部材２１は、中央でスプール軸４を挿通させるようにリング状に形成されたライニングワッシャ２２，ドラグワッシャ２３，２４、及びバネ受４０を備えており、これらは隣接して互いに面接するように配設されている。この場合、ライニングワッシャ２２は、後述するグリスが浸漬可能となるように、例えばフェルトによって形成されており、バネ受４０とドラグワッシャ２３との間、ドラグワッシャ２３，２４の間、及びドラグワッシャ２４とスプール３の内面３ａとの間に回転可能に介在されている。また、ドラグワッシャ２３，２４及びバネ受４０は、ライニングワッシャの相手材となり、ＳＵＳ等の金属によって形成されている。
【００２５】
前記バネ受４０は、スプールメタル３７に対して回り止め嵌合され、前記ドラグワッシャ２３は、外周端に形成した折曲部２３ａをスプール３に係合させてスプール３と一体回転可能に回り止め固定され、前記ドラグワッシャ２４は、スプールメタル３７に対して回り止め嵌合されている。すなわち、本実施形態の制動部材２１は、複数枚のライニングワッシャ２２を、スプール軸（スプールメタル）に対して回り止め固定されるバネ受４０、スプールに対して回り止め固定されるドラグワッシャ２３、及びスプール３に対して回り止め固定されるドラグワッシャ２４に介在することで構成され、バネ受４０に対して押圧部材２７ａを押し付けることで、ドラグワッシャのライニングワッシャに対する押圧力が調整され、スプール３に対してドラグ力を発生するよう構成されている。この場合、ドラグ力は、ドラグ調整ノブ２７を回転操作することで調整される。
【００２６】
前記ライニングワッシャ２４には、グリス（図示せず）が設けられている。この場合、グリスは、ライニングワッシャ２２の構成素材にもよるが、その表面部分に塗布されていても良いし、浸漬されていても良く、その表面に一定の油膜が形成された状態となっていれば良い。また、グリスについては、粘度が７００mm2 ／s 以上のものを用いれば、従来の魚釣用リールのドラグ装置に用いられているグリスと比較して、ライニングワッシャの表面に略均一の油膜を形成・維持することが可能である。なお、具体的には、後述する評価試験から、スピニングリールであれば、粘度が８００mm2 ／s 以上であれば良好な結果が得られ、好ましくは、粘度が９００〜２５００mm2 ／s 、より好ましくは、１１００〜１９００mm2 ／s のものを用いるのが良い。
【００２７】
この場合、上記したような粘度を有するグリスは、例えば、鉱物油を基油とし、リチウム石鹸等の増ちょう剤、及び、ポリテトラフルオロエチレン（ＰＴＦＥ）等の固体潤滑剤を所定の配合率で混ぜることで構成することが可能である。
以下、粘度の異なるグリスを用いた評価試験の内容、及び、粘度の高いグリスを用いたことによるドラグ特性について説明する。
【００２８】
評価試験は、同じタイプのスピニングリールを複数準備し、各スピニングリールに、粘度が異なるグリスをライニングワッシャに設け、５名のテスター（Ａ〜Ｅ）に管理釣り場で実釣してもらい、その操作性を評価することで行なった。なお、各人が使用するロッドは、普段、自らが使用しているものであり、スプールに巻回するラインについては細めのもの（２．０ｌｂ）を使用し、評価に際しては、一人当たり、１つのリールで５〜１０匹程度を目標に釣ってもらった。そして、各人が、通常行っているのと同じようにドラグ設定してもらい（このため、テスター毎に初期ドラグ設定は異なる）、魚を掛ける際のフッキング操作、魚が掛かった際のドラグの滑り出し状態、ドラグの止まり方、ランディングのし易さ、魚が掛かったときのバラしやライン切れを起こさないようにするための操作（ドラグノブの調整操作、スプールの抑え付け操作、ロッドの操作など）の頻度や必要性などを総合的に判断し、従来品と比較して、非常に良いと感じたものを（◎）、良いと感じたものを（○）、多少良いと感じたものを（△）、変わらない（殆ど変らない）と感じたものを（×）とする４段階評価をしてもらった。
【００２９】
なお、テスターが所有し、常用しているスピニングリールのドラグ装置に用いられているグリスの粘度は、概ね２０〜２００mm2 ／s である。評価は、普段使用しているロッドに、粘度が異なるグリスをライニングワッシャに設けたスピニングリールをグリス毎に複数準備し、それぞれをロッドに装着してグリス毎に評価している。すなわち、各テスターは、普段、扱い慣れているスピニングリールとの間で、グリスの相違によって操作性の違いを感覚的に把握することが可能となる。この場合、ヒットした魚種や大きさによって操作性も変わるため、できるだけ適正な評価ができるように、少なくとも５匹以上釣って評価を行ったところ、下記の表の結果が得られた。
【００３０】
【表１】
2015142524.tif 000003
【００３１】
上記した評価によれば、グリスが高粘度（７００mm2 ／s 以上）になると、全てのテスターで操作性が良くなる、と感じる結果が得られた。すなわち、粘度が６００mm2 ／s では、従来品よりも多少良くなるという結果（３名のテスターが多少良くなると判断し、２名が変わらないと判断した）が得られたが、７００mm2 ／s 以上になると、全てのテスターは操作性が良くなると感じており、さらに、８００〜２５００mm2 ／s の範囲では、いずれかのテスターも操作性が良好になると判断している。特に、１１００〜１９００mm2 ／s の範囲では評価が高くなり、１３００〜１５００mm2 ／s の範囲で最も良い評価を得ることができた。この評価試験から、グリスの粘度は、３０００mm2 ／s を超えて、ある程度高くなっても、従来品よりも操作性の向上は認められるが（粘度が３１００〜３３００mm2 ／s でも、ある程度、良い評価が得られている）、余り粘度を高くし過ぎると、ドラグ力を発生させる際に、初期スプールフリー回転が重くなる傾向が強くなって好ましくはないと考えられる。また、ライニングワッシャをフェルト等で形成した際に、その内部にグリスを浸漬させることが困難になることも予測される。このため、用いるグリスの粘度の上限については、通常のスピニングリールの場合、実釣時の操作性の向上が効果的に図れるように、３０００mm2 ／s が好ましいと考えられる。
【００３２】
なお、従来品と比較して評価が良くなった理由としては、ライン切れを起こさないように、ある程度、ドラグ力を低く設定した状態で魚が掛かった際、フッキングする際にロッドを大きく煽ってもスプールの空回りが抑制されて確実にフッキングができること（フッキングに際してスプールを抑え付けたり、ドラグ調整する必要性が少なくなったこと）、魚とのやり取りにおいて、魚が断続的に引いた際、口切れしたり、ラインが切れる可能性が減ったこと（このような状況を起こさないようなドラグ調整操作が減ったこと）、魚を取り込む際に、あわてて強ドラグ状態に調整する操作が抑制されたこと、等が挙げられる。すなわち、グリスの粘度を上記した範囲に設定することにより、細いラインを使用しても糸切れや口切れが抑制できるとともに、魚とやり取りする際の操作性の向上が図れるようになる。
【００３３】
また、両軸受型リールについても同一のテスターＡ〜Ｅによって評価試験を行ったところ、グリスが高粘度（８００mm2 ／s 以上）になると、従来の両軸受型リールと比較してある程度操作性が良くなる、と感じる結果が得られた。ただし、上述したように、両軸受型リールは、ドラグ装置が組み込まれている部分のギア比の関係から、スプールが繰り出された際のドラグワッシャとライニングワッシャ部分での回転量がスピニングリールと異なるとともに、ドラグ装置を構成するワッシャ部分（ドラグワッシャ、ライニングワッシャ）の構成も異なることから、好ましいグリスの範囲は若干高くなった。このため、表２で示すように、比較的高評価が得られる範囲で試験を行った。
【００３４】
評価は、スピニングリールの場合と同様、普段使用しているロッドに、粘度が異なるグリスをライニングワッシャに設けた両軸受型リール（ギア比は６．８〜９．１）をグリス毎に複数準備し、それぞれをロッドに装着してグリス毎に評価している。すなわち、各テスターは、普段、扱い慣れている両軸受型リールとの間で、グリスの相違によって操作性の違いを感覚的に把握することが可能となる。
【００３５】
【表２】
2015142524.tif 000004
【００３６】
上記した評価結果では、グリスが高粘度（５０００mm2 ／s 以上）になると、全てのテスターで操作性が良くなる、と感じる結果が得られた。すなわち、粘度が３０００mm2 ／s では、従来品よりも多少良くなるという結果（３名のテスターが多少良くなると判断し、２名が変わらないと判断した）が得られたが、５０００mm2 ／s 以上になると、全てのテスターは操作性が良くなると感じており、５０００〜２３０００mm2 ／s の範囲では、いずれかのテスターも操作性が良好になると判断している。特に、７０００〜１７０００mm2 ／s の範囲では評価が高くなり、１１０００〜１３０００mm2 ／s の範囲で最も良い評価を得ることができた。なお、この評価試験から、グリスの粘度は、２５０００mm2 ／s を超えて、ある程度高くなっても、従来品よりも操作性の向上は認められる。この場合、上限については、ギア比、ライニングワッシャの素材等の関係で明確に特定することはできないが、１０００００mm2 ／s 程度であっても、従来品と比較すれば相対的に良好、という評価が得られるものと考えられる。
【００３７】
図４は、同じドラグ装置において、ライニングワッシャに設けられるグリスの粘度を変えて（上段は１２８０mm2 ／s の粘度、下段は２０mm2 ／s の粘度）、スプールからの引き出し試験を行った際に得られる時間と共に変化する張力変化の測定結果である（グリスの粘度以外は同条件に設定してある）。なお、ドラグ装置は、３枚のライニングワッシャを３枚のドラグワッシャで挟持した多板構造であり、共にドラグ力を３００ｇに設定し、スプールからの釣糸の引き出し速度を１ｋｍ／ｈとして、時間と共に釣糸に作用する張力変化を測定した。
【００３８】
両グラフにおいて、点線で囲む部分は、釣糸を引き出し始めてドラグ装置が滑り出す瞬間（静摩擦状態から動摩擦状態に変化する）を示しており、両グラフの対比から明らかなように、グリスの粘度が高いライニングワッシャを用いることで、ドラグ装置が滑り出すときの張力変化は緩やかになる。これは、ライニングワッシャとドラグワッシャ間での油膜が安定して維持された状態にあり、両者が相対回転する際に、剪断作用によって油膜が切れる現象が抑制され、両者が滑り出す瞬間に急激な張力変化が起こらないことが把握できる。すなわち、粘度の高いグリスを用いることにより、急激な張力変化が抑制され、糸切れすることが無くなるか、或いは、糸切れを引き起こさないようにする操作が不要となり、上記したような操作性が良好になる、という結果が得られたものと考えられる。
【００３９】
以上、本発明の実施形態について説明したが、本発明は、上記した実施形態に限定されることはなく、種々変形することが可能である。上記したスピニングリールの実施形態のドラグ装置は、ライニングワッシャを３枚としたが、その枚数は限定されることはない。また、ドラグワッシャやライニングワッシャの素材に関しては、上記した粘度のグリスが保持できるものであれば、特定のものに限定されることはない。さらに、上記した実施形態では、スピニングリールを例示したが、両軸受型リール、電動リール、片軸受型リールのドラグ装置に適用することも可能である。
【符号の説明】
【００４０】
１  リール本体
２  ロータ
３  スプール
４  スプール軸
５  ハンドル
２０  ドラグ装置
２２  ライニングワッシャ
２３，２４  ドラグワッシャ（相手材）
２７  ドラグ調整ノブ（操作部材）
【図１】
2015142524.tif 000005
【図２】
2015142524.tif 000006
【図３】
2015142524.tif 000007
【図４】
2015142524.tif 000008